(57)【要約】  記録済みの曲情報に対応したＴＯＣ情報が存在しないパーシャルディスクである場合でも、最初の曲情報の再生開始までの時間を短縮しつつ、爾後の検索等に用いるＴＯＣ情報を早期に作成することが可能な情報再生装置を提供する。  パーシャルディスクＤＫに記録されている曲情報を、最初に記録された当該曲情報の記録順に順次検出し、当該検出された曲情報を検出順に一時的にバッファメモリ１１Ａに記憶し、記憶されている曲情報を検出順に読み出して再生する。  これに加えて、曲情報のバッファメモリ１１Ａからの読み出しが実行されているとき、未検出の曲情報をパーシャルディスクＤＫから検出し、これまで検出されている全ての曲情報の内容に基づいてＴＯＣ情報を生成してパーシャルディスクＤＫに記録する。【特許請求の範囲】
【請求項１】
記録媒体に記録されている記録情報を、最初に記録された当該記録情報から記録順に順次検出する第１検出手段と、
当該検出された記録情報を検出順に一時的に記憶する記憶手段と、
前記記憶されている記録情報を検出順に前記記憶手段から読み出して再生する再生手段と、
前記記録情報の前記記憶手段からの読み出しが実行されているとき、未検出の前記記録情報を前記記録媒体から検出する第２検出手段と、
前記第１検出手段及び前記第２検出手段により夫々検出された前記記録情報の内容に基づいて、前記記録情報を前記記録媒体から検出して再生する際に用いられる再生制御情報を生成する生成手段と、
前記生成された再生制御情報を前記記録媒体に記録する記録手段と、
を備えることを特徴とする情報再生装置。
【請求項２】
請求項１に記載の情報検出装置において、
前記記録された再生制御情報に基づいて前記記録情報の検索を行う検索手段を更に備えることを特徴とする情報再生装置。
【請求項３】
請求項１又は２に記載の情報再生装置において、
前記記録情報が記録された前記記録媒体上の記録済領域の終端位置を当該記録媒体上において検出する終端検出手段と、
前記終端位置を示す前記記録媒体上のアドレスを示すアドレス情報を検出するアドレス検出手段と、
前記再生制御情報の生成が完了していないときに前記記録情報を検索するとき、前記検出された終端位置及び前記アドレス情報に基づいて、前記記録情報の再生時間情報を推定する推定手段と、
前記推定された再生時間情報に基づいて前記記録情報の検索を行う時間情報検索手段と、
を更に備えることを特徴とする情報再生装置。
【請求項４】
請求項１から３のいずれか一項に記載の情報検出装置において、
前記記録媒体はＣＤ（Compact Disc）であることを特徴とする情報再生装置。
【請求項５】
記録媒体に記録されている記録情報を、最初に記録された当該記録情報から記録順に順次検出する第１検出工程と、
当該検出された記録情報を検出順に記憶手段に一時的に記憶する記憶工程と、
前記記憶されている記録情報を検出順に前記記憶手段から読み出して再生する再生工程と、
前記記録情報の前記記憶手段からの読み出しが実行されているとき、未検出の前記記録情報を前記記録媒体から検出する第２検出工程と、
前記記録情報の前記記憶手段からの読み出しが実行されているとき、前記第１検出工程及び前記第２検出工程において夫々検出された前記記録情報の内容に基づいて、前記記録情報を前記記録媒体から検出して再生する際に用いられる再生制御情報を生成する生成工程と、
前記生成された再生制御情報を前記記録媒体に記録する記録工程と、
を含むことを特徴とする情報再生方法。
【請求項６】
記録媒体に記録された記録情報を再生する情報再生装置に含まれるコンピュータを、
前記記録情報を、最初に記録された当該記録情報から記録順に順次検出する第１検出手段、
当該検出された記録情報を検出順に一時的に記憶する記憶手段、
前記記憶されている記録情報を検出順に前記記憶手段から読み出して再生する再生手段、
前記記録情報の前記記憶手段からの読み出しが実行されているとき、未検出の前記記録情報を前記記録媒体から検出する第２検出手段、
前記第１検出手段及び前記第２検出手段により夫々検出された前記記録情報の内容に基づいて、前記記録情報を前記記録媒体から検出して再生する際に用いられる再生制御情報を生成する生成手段、及び、
前記生成された再生制御情報を前記記録媒体に記録する記録手段、
として機能させることを特徴とする情報再生用プログラム。
【請求項７】
請求項６に記載の情報再生用プログラムが前記コンピュータにより読取可能に記録されていることを特徴とする情報記録媒体。
【発明の詳細な説明】
【技術分野】
【０００１】
本願は、情報再生装置、情報再生方法及び情報再生用プログラム並びに情報記録媒体の技術分野に属し、より詳細には、例えば光ディスク等の記録媒体に記録されている記録情報を当該記録媒体から検出して再生する情報再生装置、情報再生方法及び当該情報再生用の情報再生用プログラム並びに当該情報再生用プログラムが記録された情報記録媒体の技術分野に属する。
【背景技術】
【０００２】
従来から、曲を再生して聴取するための曲情報が光学的に読み出し可能に記録されている再生専用の記録媒体として、いわゆるＣＤ（Compact Disc）が広く一般化している。そして、当該ＣＤ用の再生装置においては、当該ＣＤに記録されている曲情報を、当該ＣＤ上における記録順ではなく任意の順で当該ＣＤから読み出してその曲情報に対応する曲を再生する、いわゆるランダム再生処理等の様々な再生態様が実現可能とされている。【０００３】
ここで、上述したような様々な再生態様を実現可能とするため、従来のＣＤにおいては、当該ＣＤに記録されている曲情報全体にかかる目次情報が当該ＣＤにおけるリードインエリア内に予め記録されている。この目次情報は、一般にはＴＯＣ（Table of Contents）情報と称されるものであり、具体的には、それが記録されているＣＤに記録されている曲情報につき、全曲数の情報、曲名情報、各曲の再生時間情報及び各曲に対応する曲情報の先頭が記録されているＣＤ上の位置を示す各曲毎のアドレス情報等を含んで構成されている。そして、この目次情報を曲情報の読み出し前にリードインエリアから読み出すことで、各曲に対応する曲情報のＣＤ上の記録位置等が前もって認識でき、これにより上述したランダム再生処理等が可能となるのである。換言すれば、上記ＴＯＣ情報を曲情報の再生開始前に検出できないような場合には、各曲の記録開始位置等を再生開始前に取得することができず、上記ランダム再生処理等を実行することができないことになる。【０００４】
また、このＴＯＣ情報に加えて、ＣＤに記録されている一の曲内の任意の位置からの再生開始を可能とすべく、当該各曲について、その曲の先頭からの再生経過時刻とその再生経過時刻においてＣＤから読み出されるべき曲情報の記録位置情報（アドレス情報）との関係を示すサブコード情報が、その曲に対応する曲情報の中に埋め込まれる形で記録されている。【０００５】
一方、近年においては、上述した再生専用のＣＤだけではなく、例えばＣＤ−Ｒ（CD-Recordable）等の、当該ＣＤを購入した使用者が曲情報をその購入後に記録することが可能なＣＤも広く一般化している。そして、このような記録可能なＣＤにおいても、記録すべき曲情報の記録が終了した後には、当該記録済みの全ての曲情報の内容に対応したＴＯＣ情報を作成し、これを当該記録可能なＣＤの例えばリードインエリア等に記録することが行われるのが原則である。ここで、記録済みの曲情報の内容に対応した内容を有するＴＯＣ情報を当該曲情報が記録されているＣＤに記録する処理を、一般にはファイナライズ処理と称している。【０００６】
そして、このファイナライズ処理が実行されることで、ＣＤ全体の記録済曲情報に対応するＴＯＣ情報が記録され、これにより、当該記録可能なＣＤに記録済みの曲情報を、上述した再生専用のＣＤに記録された曲情報と同様に扱って上記ランダム再生処理等の再生制御を行うことが可能となるのであり、これに加えて再生専用のＣＤ用の再生装置においても、記録可能なＣＤに記録された曲情報を再生専用のＣＤと同様の方法により再生することが可能となるのである。【０００７】
他方、最近のパーソナルコンピュータでは、それに含まれている光学式の記録装置を用いることで、上記記録可能なＣＤに対して曲情報等を記録することが可能とされている。このとき、近年の一般的なパーソナルコンピュータ用のオペレーティングシステム（基本システムソフトウエア）では、記録可能なＣＤに対する曲情報の記録を、上記ファイナライズ処理を実行せずに終了してしまうものが増えてきており、更にその記録方法により、曲情報が記録されてはいるがファイナライズ処理が施されていないＣＤ（以下、このようなファイナライズ処理が為されておらず曲情報のみが記録された状態のＣＤをパーシャルディスクと称する）が一般に出回る場合も増加してきている。【０００８】
ここで、このようなパーシャルディスクから当該曲情報を再生する従来技術の第一の例としては、例えば下記特許文献１に記載された方法がある。
【特許文献１】特開平６−２０４０９号公報
【０００９】
この特許文献１に記載された方法は、装填された光ディスクがパーシャルディスクであると判断すると、当該パーシャルエリア内にデータ記録領域に記録されている情報を全て再生する（或いは、予め設定されたトラック数のトラックジャンプ処理を繰り返す）ことで、当該データ記録領域に記録されている情報内のサブコード情報が、当該情報における情報単位とそれに対応する再生時間情報を順次していき、その収集した情報を用いて新規にＴＯＣ情報を生成する方法である。【００１０】
また、当該パーシャルディスクから曲情報を再生する従来技術の第二の例としては、例えば下記特許文献２に記載された方法がある。
【特許文献２】特開２００１−２４３６３８号公報
【００１１】
この特許文献２に記載された方法は、装填された光ディスクがパーシャルディスクであると判断すると、先ず当該パーシャルディスクにおける記録トラック上に光ビームが照射されていることを示すいわゆるオントラック信号等を検出しながらピックアップを当該パーシャルディスクの半径方向に移動させ、このオントラック信号が検出されなくなったときに当該ピックアップがデータ記録領域における情報が未記録の領域に飛び出してしまったと判断する。その後、そのタイミングから反対方向にピックアップを移動させて情報の記録済領域の終端位置のアドレス情報と再生時間情報とを検出する。これにより記録されている情報の単位となる単位情報（上記の曲情報に相当する）の数と全ての記録済み情報に対応する全体再生時間を認識することができることになるので、これを用いて当該全体再生時間を全単位情報数で除した値を一つの単位情報当たりの再生時間と仮定してその後の単位情報の検索を行うことができるようになるのである。
【発明の開示】
【発明が解決しようとする課題】
【００１２】
しかしながら、上述した第一の従来技術によると、一旦ＴＯＣ情報が生成された後は曲情報の検索やランダム再生処理等は迅速にできることになるが、一方で、最初の曲情報の再生開始までに非常に長い時間が必要となるという問題点があった。【００１３】
また、上述した第二の従来技術によると、例えば、上記全体再生時間が６０分であり、その間に十個の単位情報が記録されていたとしたとき、各曲情報毎の再生時間が全て６分前後である場合には、上記第二の従来技術により生成された再生時間と実際の各曲情報の再生時間とが略一致しているので検索等も迅速に行うことが可能となるが、これに対して、例えば第１の曲情報の再生時間が３３分であり、残りの九つの曲情報の再生時間が例えば全て３分前後であったとすると、上記第二の従来技術により生成された再生時間と実際の各曲情報の再生時間とが著しく異なっていることとなるので、結果として正確な曲検索を行う場合には非常に長い時間を要してしまうこととなるという問題点があるのである。【００１４】
そこで、本願は上記の各問題点に鑑みて為されたもので、その目的の一例は、記録済みの曲情報に対応したＴＯＣ情報が存在しないパーシャルディスクである場合でも、最初の曲情報の再生開始までの時間を短縮しつつ、爾後の検索等に用いるＴＯＣ情報を早期に作成することが可能な情報再生装置、情報再生方法及び当該情報再生用の情報再生用プログラム並びに当該情報再生用プログラムが記録された情報記録媒体を提供することにある。
【課題を解決するための手段】
【００１５】
上記の課題を解決するために、請求項１に記載の発明は、パーシャルディスク等の記録媒体に記録されている記録情報を、最初に記録された当該記録情報から記録順に順次検出するピックアップ等の第１検出手段と、当該検出された記録情報を検出順に一時的に記憶するバッファメモリ等の記憶手段と、前記記憶されている記録情報を検出順に前記記憶手段から読み出して再生する音声デコーダ等の再生手段と、前記記録情報の前記記憶手段からの読み出しが実行されているとき、未検出の前記記録情報を前記記録媒体から検出するピックアップ等の第２検出手段と、前記第１検出手段及び前記第２検出手段により夫々検出された前記記録情報の内容に基づいて、前記記録情報を前記記録媒体から検出して再生する際に用いられる再生制御情報を生成するＣＰＵ等の生成手段と、前記生成された再生制御情報を前記記録媒体に記録するピックアップ等の記録手段と、を備える。【００１６】
上記の課題を解決するために、請求項５に記載の発明は、パーシャルディスク等の記録媒体に記録されている記録情報を、最初に記録された当該記録情報から記録順に順次検出する第１検出工程と、当該検出された記録情報を検出順にバッファメモリ等の記憶手段に一時的に記憶する記憶工程と、前記記憶されている記録情報を検出順に前記記憶手段から読み出して再生する再生工程と、前記記録情報の前記記憶手段からの読み出しが実行されているとき、未検出の前記記録情報を前記記録媒体から検出する第２検出工程と、前記記録情報の前記記憶手段からの読み出しが実行されているとき、前記第１検出工程及び前記第２検出工程において夫々検出された前記記録情報の内容に基づいて、前記記録情報を前記記録媒体から検出して再生する際に用いられる再生制御情報を生成する生成工程と、前記生成された再生制御情報を前記記録媒体に記録する記録工程と、を含む。【００１７】
上記の課題を解決するために、請求項６に記載の発明は、パーシャルディスク等の記録媒体に記録された記録情報を再生する情報再生装置に含まれるコンピュータを、前記記録情報を、最初に記録された当該記録情報から記録順に順次検出する第１検出手段、当該検出された記録情報を検出順に一時的に記憶する記憶手段、前記記憶されている記録情報を検出順に前記記憶手段から読み出して再生する再生手段、前記記録情報の前記記憶手段からの読み出しが実行されているとき、未検出の前記記録情報を前記記録媒体から検出する第２検出手段、前記第１検出手段及び前記第２検出手段により夫々検出された前記記録情報の内容に基づいて、前記記録情報を前記記録媒体から検出して再生する際に用いられる再生制御情報を生成する生成手段、及び、前記生成された再生制御情報を前記記録媒体に記録する記録手段、として機能させる。【００１８】
上記の課題を解決するために、請求項７に記載の発明は、請求項６に記載の情報再生用プログラムが前記コンピュータにより読取可能に記録されている。
【図面の簡単な説明】
【００１９】
【図１】実施形態の情報再生装置の概要構成を示すブロック図である。
【図２】実施形態の再生処理を示すフローチャート（Ｉ）である。
【図３】実施形態の再生処理を示すフローチャート（II）である。
【符号の説明】
【００２０】
１    ピックアップ
２    スピンドルモータ
３    サーボドライバ
４    サーボ信号処理部
５    アンプ
６    デマルチプレクサ
７    音声デコーダ
８    画像デコーダ
９、１０    Ｄ／Ａコンバータ
１１    メモリ
１１Ａ    バッファメモリ
１２    ＣＰＵ
１３    操作部
１４    ディスプレイ
Ｓ    情報再生装置
ＤＫ    光ディスク（パーシャルディスク）
ＬＢ    光ビーム
【発明を実施するための最良の形態】
【００２１】
次に、本願を実施するための最良の形態について、図１乃至図３を用いて説明する。なお、以下に説明する各実施形態は、再生すべき曲情報が一又は複数記録されてはいるものの当該各曲情報に対応した内容を有するＴＯＣ情報が未だ記録されていない上記パーシャルディスクから当該曲情報を検出して対応する曲又は画像を再生する情報再生装置に対して本願を適用した場合の実施の形態である。【００２２】
また、図１は実施形態に係る情報再生装置の概要構成を示すブロック図であり、図２及び図３は当該情報再生装置における再生処理を示すフローチャートである。【００２３】
図１に示すように、実施形態に係る情報再生装置Ｓは、第１検出手段、第２検出手段、記録手段、終端検出手段及びアドレス検出手段としてのピックアップ１と、スピンドルモータ２と、サーボドライバ３と、サーボ信号処理部４と、アンプ５と、デマルチプレクサ６と、再生手段としての音声デコーダ７と、画像デコーダ８と、Ｄ／Ａ（Digital Analog）コンバータ９及び１０と、メモリ１１と、生成手段、推定手段、検索手段及び時間情報検索手段としてのＣＰＵ１２と、操作部１３と、ディスプレイ１４とにより構成されている。また、メモリ１１は、再生されるべき曲情報をＦＩＦＯ（First In First Out）方式で一時的に記憶する記憶手段としてのバッファメモリ１１Ａを含んでいる。【００２４】
次に、全体動作を説明する。
情報再生装置Ｓに装填された光ディスクＤＫは、スピンドルモータ２に固定されて予め設定されている回転速度で回転される。そして、当該回転する光ディスクＤＫから上記曲情報を再生する場合、ピックアップ１からは予め設定された強度を有する再生用の光ビームＬＢが射出され、その反射光がピックアップ１内の図示しない光ディテクタにより受光される。これにより、当該光ディテクタは、受光した反射光の強度の変化に対応して振幅等が変化する検出信号Ｓpuを生成してアンプ５に出力する。【００２５】
次に、アンプ５は、当該検出信号Ｓpuを予め設定されている増幅率により増幅し、増幅信号Ｓapとして、バッファメモリ１１Ａに一時的に記憶された後、ＣＰＵ１２からの制御信号Ｓbmにより示されるタイミングで読み出されてデマルチプレクサ６へ出力される。【００２６】
これにより、デマルチプレクサ６は、ＣＰＵ１２からの制御信号Ｓcdに基づいて、当該増幅信号Ｓapから曲情報を含む音情報に対応する音信号Ｓaと、画像情報に対応する画像信号Ｓvと、を分離して抽出し、夫々音声デコーダ７及び画像デコーダ８へ出力する。【００２７】
次に、音声デコーダ７は、ＣＰＵ１２からの制御信号Ｓcaに基づいて、デマルチプレクサ６により増幅信号Ｓapから分離抽出された音信号Ｓaを予め設定されている復号方式により復号し、復号音信号Ｓdaを生成してＤ／Ａコンバータ９へ出力する。【００２８】
そして、Ｄ／Ａコンバータ９は、当該復号音信号Ｓdaをアナログ化し、アナログ信号としての音出力信号Ｓaoutを生成し、図示しないスピーカ等に出力して放音させる。【００２９】
一方、画像デコーダ８は、ＣＰＵ１２からの制御信号Ｓcvに基づいて、デマルチプレクサ６により増幅信号Ｓapから分離抽出された画像信号Ｓvを予め設定されている復号方式により復号し、復号画像信号Ｓdvを生成してＤ／Ａコンバータ１０へ出力する。【００３０】
そして、Ｄ／Ａコンバータ１０は、当該復号画像信号Ｓdvをアナログ化し、アナログ信号としての画像出力信号Ｓvoutを生成し、図示しないディスプレイ等に出力して表示させる。【００３１】
他方、スピンドルモータ２の回転数の制御は、サーボドライバ３からの制御信号Ｓcssに基づくサーボ処理により、光ディスクＤＫを一定回転数で回転させるように実行される。【００３２】
更に、光ビームＬＢの光ディスクＤＫ上の照射位置については、光ディスクＤＫの記録層に対して垂直な方向の照射位置を制御するフォーカスサーボ処理と、当該記録層に平行な方向（すなわち、光ディスクＤＫの半径方向）の照射位置を制御するトラッキングサーボ処理との共動により制御される。そして、これら二つのサーボ処理は、サーボドライバ３からの制御信号Ｓcpがフォーカスサーボ処理用のアクチュエータ及びトラッキングサーボ制御用のアクチュエータの夫々に出力されることにより実現される。これに加えて、トラッキングサーボ処理における図示しない対物レンズの移動可能範囲を越えて光ビームＬＢの照射位置を光ディスクＤＫの半径方向に移動させるとき（例えば、いわゆるトラックジャンプを実行する場合等）は、ピックアップ１自体を全体として光ディスクＤＫの半径方向に移動させるキャリッジサーボ処理が実行されるが、当該キャリッジサーボ処理についても制御信号Ｓcpに基づいて行われる。【００３３】
このため、サーボドライバ３は、サーボ信号処理部４からの制御信号Ｓcsに基づいて、ピックアップ１及びスピンドルモータ２において必要なサーボ処理が実行されるように上記制御信号Ｓcp及びＳcssを夫々生成し、当該ピックアップ１及びスピンドルモータ２に出力する。【００３４】
更に、サーボ信号処理部４は、ＣＰＵ１２からの制御信号Ｓccに基づいて、上記サーボドライバ３における各制御信号Ｓcss及びＳcpの生成処理が正常に実行されるように上記制御信号Ｓcsを生成して当該サーボドライバ３に出力する。【００３５】
これら各構成部材の処理と並行して、ＣＰＵ１２は、操作部１３からの操作信号Ｓinの内容に基づいて、当該内容に対応した動作が実行されるように上記各制御信号Ｓcc、Ｓcd、Ｓcv及びＳcaを生成して上述した対応する各構成部材に出力し、当該各構成部材を統括制御する。また、当該統括制御のために必要な情報は、メモリ信号Ｓmとしてメモリ１１内のバッファメモリ１１Ａに相当する領域以外の領域内に出力されて一時的に記憶され、更に必要に応じてメモリ信号Ｓmとして再度メモリ１１内の当該領域から読み出され、ＣＰＵ１２に出力されて必要な処理に供される。更に、情報再生装置Ｓの動作状態等の使用者に告知すべき必要な情報は、ＣＰＵ１２からの表示信号Ｓdpに基づいてディスプレイ１４に表示される。【００３６】
次に、ＣＰＵ１２、バッファメモリ１１Ａ及びサーボ信号処理部４を中心として実行される、実施形態に係る曲情報の再生処理について、図１乃至図３を用いて説明する。【００３７】
図２に示すように、実施形態に係る再生処理においては、情報再生装置Ｓにいずれかの光ディスクＤＫが装填されると（ステップＳ１）、その光ディスクＤＫがパーシャルディスクであるか否かを先ず確認する（ステップＳ２）。そして、その光ディスクＤＫがパーシャルディスクでないときは（ステップＳ２；ＮＯ）、その光ディスクＤＫが通常の再生専用の光ディスクＤＫであると判断できるので、当該再生専用の光ディスクＤＫに対応した再生方法を用いてそれに記録されている情報を再生して（ステップＳ３）実施形態に係る再生処理を終了する。【００３８】
一方、ステップＳ２の判定において、装填された光ディスクＤＫがパーシャルディスク（以下、当該パーシャルディスクを適宜パーシャルディスクＤＫと称する）であるときは（ステップＳ２；ＹＥＳ）、次に、当該パーシャルディスクＤＫにおける曲情報の記録済領域の終端の位置（すなわち、パーシャルディスクＤＫにおける当該記録済領域と未記録領域との境界の位置）を検出し、その終端の位置までの記録済領域内に記録されている曲情報の数と、その終端の位置のパーシャルディスクＤＫ上におけるアドレスを検出する（ステップＳ４）。なお、当該ステップＳ４の処理として具体的には、例えば上記特許文献２に記載されている方法を用いることができる。【００３９】
記録済領域の終端の位置が検出されたならば、次に、曲情報の先頭からその記録順に再生するものとして記録済の曲情報のうち最初のものを再生する（ステップＳ５）。【００４０】
ここで、当該ステップＳ５の処理は、最初の曲情報を予め設定されている検出速度によりパーシャルディスクＤＫからピックアップ１を介して光学的に検出し、一旦バッファメモリ１１Ａに記憶し、それを予め設定されている読出速度により読み出してデマルチプレクサ６に出力することで実行される。このとき、上記パーシャルディスクＤＫからの検出速度はバッファメモリ１１Ａからの読出速度よりも高速に設定されている。従って、バッファメモリ１１Ａへの曲情報の蓄積がその読出しよりも高速になるため、結果として、バッファメモリ１１Ａが満杯になったときに一時的にパーシャルディスクＤＫからの曲情報の検出を停止しても、バッファメモリ１１Ａからの読み出しを継続することでその再生を継続できることになる。【００４１】
そして、バッファメモリ１１Ａに対する曲情報の蓄積を継続しつつその再生を実行中においては、当該バッファメモリ１１Ａにおける曲情報の蓄積量が監視されており、その蓄積量が予め設定された所定量の閾値（具体的には、例えば１０秒分の曲情報に相当する蓄積量程度）より多くなったか否かの確認が繰り返されている（ステップＳ６、ステップＳ６；ＮＯ）。【００４２】
次に、ステップＳ６の判定において、バッファメモリ１１Ａ内の蓄積量が上記閾値を越えたときは（ステップＳ６；ＹＥＳ）、曲情報の再生自体はバッファメモリ１１Ａからの読み出しにより継続しつつ、パーシャルディスクＤＫからの曲情報の検出を一時的に中断し、未だ作成されていないＴＯＣ情報を生成する（ステップＳ７）。このときのＴＯＣ情報の生成は、例えば上記特許文献１に記載されている方法を用いることができる。【００４３】
そして、ＴＯＣ情報の生成が開始された以降は、それが完成したか否かが常に監視されており（ステップＳ８）、完了した場合には（ステップＳ８；ＹＥＳ）、その生成されたＴＯＣ情報を所定の領域（例えば、パーシャルディスクＤＫにおけるリードインエリア等）内に記録し、中断していた曲情報のパーシャルディスクＤＫからの検出処理を再開する（ステップＳ９）。そして、爾後の必要なタイミングで、生成・記録されているＴＯＣ情報を参照しつつ必要な検索処理を、例えば従来のＣＤにおける検索処理と同様の方法により実行しつつ再生処理を行う。【００４４】
一方、ステップＳ８の判定において、ＴＯＣ情報が未だ完成していないときは（ステップＳ８；ＮＯ）、次に、バッファメモリ１１Ａ内の曲情報の蓄積量が上記閾値以下になったか否かを確認し（ステップＳ１０）、当該蓄積量が閾値以下になっていないときは（ステップＳ１０；ＮＯ）、ＴＯＣ情報の生成処理を継続すべく再度ステップＳ７の処理に戻る。【００４５】
他方、ステップＳ１０の判定において、バッファメモリ１１Ａ内の曲情報の蓄積量が閾値以下になったときは（ステップＳ１０；ＹＥＳ）、このままバッファメモリ１１Ａからの読み出しのみによる再生処理を継続していては、当該バッファメモリ１１Ａ内の蓄積量が少なくなりすぎて（すなわち、いわゆるアンダーフロー状態となって）曲の再生処理が中断する可能性があるため、ＴＯＣ情報生成のための曲情報のパーシャルディスクＤＫからの検出処理を一時的に中断し、元の最初の曲の再生処理（すなわち、当該最初の曲に対応する曲情報のパーシャルディスクＤＫからの検出処理）を再開し（ステップＳ１１）、上記ステップＳ６に戻って以後の処理を繰り返す。【００４６】
次に、図２に示す再生処理におけるＴＯＣ情報の作成中であって当該ＴＯＣ情報が未完成であるときに、パーシャルディスクＤＫ上において曲情報の記録位置をその再生のために検索する旨の操作が操作部１３において実行されたときの、暫定的な曲情報の検索方法について、図３を用いて示す。【００４７】
先ず、図３に示す検索方法の前提としては、上記ステップＳ４の処理としてのパーシャルディスクＤＫにおける曲情報の記録済領域の終端位置の検出、当該終端位置までの記録済領域内に記録されている曲情報数の検出、及び当該終端位置のパーシャルディスクＤＫ上におけるアドレスの検出が終了しているものとし、更に図２に示すステップＳ７及びＳ８の処理によりＴＯＣ情報が実際に作成中であるとする。【００４８】
そして、図３に示すように、当該ＴＯＣ情報の作成中においては、図２ステップＳ４の処理において検出された、記録済領域の終端の位置のパーシャルディスクＤＫ上におけるアドレスに基づいて現在記録されている曲情報全体の総再生時間を算出し、更にこの算出した総再生時間と当該ステップＳ４の処理において検出された曲情報の数とに基づいて、一曲当たりの平均再生時間を、（総再生時間÷曲情報の数）により算出してメモリ１１内のバッファメモリ１１Ａ以外の領域内に記憶して操作部１３における上記検索指令に備える（ステップＳ１５）。【００４９】
次に、ステップＳ１５の処理が実行された後は、ＴＯＣ情報が完成したか否かが常に監視されており（ステップＳ１６）、完了した場合には（ステップＳ１６；ＹＥＳ）、その生成されたＴＯＣ情報を所定の領域（例えば、パーシャルディスクＤＫにおけるリードインエリア等）内に記録し、その記録したＴＯＣ情報とパーシャルディスクＤＫから検出したその他の情報とを用いて必要なサーチ処理を行うべく当該各情報をメモリ１１内のバッファメモリ１１Ａ以外の領域内に記憶して（ステップＳ２０）、図２に示す再生処理を継続する。【００５０】
一方、ステップＳ１６の判定において、ＴＯＣ情報が未だ完成していないときは（ステップＳ１６；ＮＯ）、次に、操作部１３において使用者により、曲の再生のための検索処理を行う旨の操作が為されたか否かが確認される（ステップＳ１７）。【００５１】
そして、当該操作が為されていないときは（ステップＳ１７；ＮＯ）、引き続きＴＯＣ情報の作成を継続する（ステップＳ１６）。一方、ステップＳ１７の判定において、曲の再生のための検索処理を行う旨の操作が為されたときは（ステップＳ１７；ＹＥＳ）、次に、そのタイミングにおいて、それまでの図２ステップＳ７の処理により少なくとも曲情報のうちの最初の曲に関する再生時間情報及びその記録位置を示すアドレス情報が取得されているか否かを確認し（ステップＳ１８）、必要な情報の取得が一曲分も完了していないときは（ステップＳ１８；ＮＯ）、上記ステップＳ１５に戻って暫定的な検索を行うべく待機する。【００５２】
他方、ステップＳ１８の判定において、一曲分以上の再生時間情報等が取得できているときは（ステップＳ１８；ＹＥＳ）、その情報を元に他の未検出の曲情報に関する検索用の情報を生成して一時的にメモリ１１内のバッファメモリ１１Ａ以外の領域内に記憶させる処理を行い（ステップＳ１９）、上記ステップＳ１６の処理に戻ってＴＯＣ情報の完成度を確認した後、それが完成していれば（ステップＳ１６；ＹＥＳ）そのＴＯＣ情報を用いた検索を行い（ステップＳ２０）、当該ＴＯＣ情報が未完成であれば（ステップＳ１６；ＮＯ）再度上記ステップＳ１７以降の処理を実行する。【００５３】
以上説明した図３に示す処理により、一曲分の再生時間情報も取得できていないときは（ステップＳ１８；ＮＯ）上記ステップＳ１５において生成した平均再生時間情報等を用いた概略的な検索処理が実行でき、一方、一曲分だけでも再生時間情報が取得されているときは（ステップＳ１８；ＹＥＳ）その取得した再生時間情報等を用いてより正確に必要な曲情報の検索が可能となる。【００５４】
次に、上記ステップＳ１９における検索用の情報の生成処理について説明する。なお、以下の説明では、例として、記録済みの曲情報の全てに対応する総再生時間が６０分であり、総曲情報数が十曲であり、更に最初の曲の実際の再生時間が３３分である場合を用いて説明する。【００５５】
先ず、上記ステップＳ１８までの処理で得られた情報を用いずに必要な検索用の情報を取得しようとした場合（すなわち、上記ステップＳ１５において設定されたの情報のみを用いて検索処理する場合）、各曲の推定再生時間は、
６０分÷１０＝６分ずつ
となるが、この情報が得られた状態で、例えば第二曲目（その実際の再生時間を仮に３分とする）を検索する旨の操作がステップＳ１７において行われたとすると、光ビームＬＢの照射位置は記録済領域の先頭から再生時間で６分に相当する位置を検索してしまうこととなる。しかしながら、第二曲目の実際の先頭アドレスは記録済領域の先頭から再生時間で３３分に相当する位置であるので、現在照射位置が位置している（記録済領域の先頭から）６分の位置から同じく３３分の位置までトラックジャンプ処理等により照射位置を更に移動し、その後に第二曲目の先頭アドレスを検索する必要があることになる。また、同様にすると第三曲目の先頭アドレスは記録済領域の先頭から再生時間で１２分に相当する位置であると推定されるが、実際には同じく３６分に相当する位置に第三曲目の先頭があるので、この場合にも再度照射位置を移動させる必要がある。そして、これらいずれの場合でも、非常に長い検索時間が必要となり、更に全体として最後の方に記録されている曲情報の検索が指示されたときには、更に長時間を要することになるのである。【００５６】
これに対して、上記ステップＳ１８までの処理で得られた情報を用いてステップＳ１９の処理を実行した場合、当該ステップＳ１９の処理において、それまでに実行されたステップＳ１８以前の処理において最初の曲の再生時間情報（３３分）が取得できており、更に記録済領域の先頭から再生時間で３４分の位置までの曲情報検出が終わっていると仮定すると、これらの情報を活用して残りの九曲夫々の推定再生時間は、
（６０分−３３分）÷９曲＝３分ずつ
と算出できる。そして、これらの情報を用いれば、例えば第二曲目を検索する旨の操作がステップＳ１７において行われたとしても、記録済み情報の最初から３３分（すなわち、第一曲目の再生終了位置）に相当する位置に光ビームＬＢの照射位置を戻して検索することで迅速に第二曲目を検索することができることになる。また、同様に第三曲目を検索する旨の操作がステップＳ１７において行われたとしても、記録済み情報の最初から３６分（３３分＋３分）に対応する位置まで光ビームＬＢの照射位置を進めて検索することで迅速に第三曲目の先頭アドレスを検索することができることになる。【００５７】
以上説明したように、実施形態に係る再生処理によれば、一時的に曲情報を記憶するバッファメモリ１１Ａから読み出して対応する曲の再生を開始しつつ、それと並行して更に検出した曲情報を用いてＴＯＣ情報を生成してこれを記録するので、記録済みの曲情報に対応したＴＯＣ情報が存在しない場合でも、曲情報の再生開始までの時間を短縮しつつ、爾後の検索等に用いるＴＯＣ情報を早期に作成することができる。【００５８】
また、実際に再生した曲情報に基づいて生成されたＴＯＣ情報を用いて検索を行うので、正確に所望の曲情報を検索することができる。【００５９】
更に、ＴＯＣ情報の生成が完了していないときに曲情報を検索するとき、曲情報が記録済みの領域の終端位置及びその終端位置のアドレスに基づいて曲情報の再生時間を推定し、その推定された再生時間に基づいて曲情報の検索を行うので、ＴＯＣ情報が完全に生成される前であっても、曲情報の検索を概略的に実行することができる。【００６０】
更にまた、パーシャルディスクＤＨがＣＤである場合に、その再生制御のためのＴＯＣ情報が存在しない場合でも、曲情報の再生開始までの時間を短縮しつつ、爾後の検索等に用いるＴＯＣ情報を早期に作成することができる。【００６１】
なお、上述した実施形態においては、パーシャルディスクＤＫがＣＤである場合について説明したが、当該ＣＤと同様の再生制御情報が生成された上でこれに基づいて再生制御が行われるのであれば、光ディスク自体としての記録容量や記録密度、或いは記録層の数等に拘らず本願をこれらに適用することが可能である。【００６２】
更に、図２に夫々示すフローチャートに対応するプログラムを、フレキシブルディスク又はハードディスク等の情報記録媒体に記録しておき、又はインターネット等を介して取得して記録しておき、これらを汎用のコンピュータで読み出して実行することにより、当該コンピュータを実施形態に係るＣＰＵ１２として活用することも可能である。
【図１】
2006064703.tif 000002
【図２】
2006064703.tif 000003
【図３】
2006064703.tif 000004
【手続補正書】
【提出日】平成18年10月16日(2006.10.16)
【手続補正１】
【補正対象書類名】特許請求の範囲
【補正対象項目名】全文
【補正方法】変更
【補正の内容】
【書類名】請求の範囲
【請求項１】  記録媒体に記録されている記録情報を、最初に記録された当該記録情報から記録順に順次検出する第１検出手段と、
当該検出された記録情報を検出順に一時的に記憶する記憶手段と、
前記記憶されている記録情報を検出順に前記記憶手段から読み出して再生する再生手段と、
前記記録情報の前記記憶手段からの読み出しが実行されているとき、未検出の前記記録情報を前記記録媒体から検出する第２検出手段と、
前記記録情報が記録された前記記録媒体上の記録済領域の終端位置を当該記録媒体上において検出する終端検出手段と、
前記終端位置を示す前記記録媒体上のアドレスを示すアドレス情報を検出するアドレス検出手段と、
前記アドレス情報に基づいて前記記録媒体に記録されている前記記録情報全体の総再生時間を算出する算出手段と、
前記記録済領域に記録されている前記記録情報の数を検出する情報数検出手段と、
前記第１検出手段及び前記第２検出手段による全ての前記記録情報の検出が完了していないときに、当該第１検出手段及び当該第２検出手段により夫々検出済みの前記記録情報については当該記録情報の内容に基づいて各前記記録情報の再生時間情報を取得すると共に、
前記第１検出手段及び前記第２検出手段が未検出の前記記録情報については、前記総再生時間から前記検出済みの前記記録情報の再生時間の合計を除いた時間情報と、当該未検出の前記記録情報の数と、に基づいて当該未検出の前記記録情報の平均再生時間情報を推定することで、前記記録情報を前記記録媒体から検出して再生する際に用いられる再生制御情報を生成する生成手段と、
前記生成された再生制御情報を前記記録媒体に記録する記録手段と、
を備えることを特徴とする情報再生装置。
【請求項２】  請求項１に記載の情報検出装置において、
前記記録された再生制御情報に基づいて前記記録情報の検索を行う検索手段を更に備えることを特徴とする情報再生装置。
【請求項３】（削除）
【請求項４】  請求項１又は２に記載の情報検出装置において、
前記記録媒体はＣＤ（Ｃｏｍｐａｃｔ  Ｄｉｓｃ）であることを特徴とする情報再生装置。
【請求項５】  記録媒体に記録されている記録情報を、最初に記録された当該記録情報から記録順に順次検出する第１検出工程と、
当該検出された記録情報を検出順に記憶手段に一時的に記憶する記憶工程と、
前記記憶されている記録情報を検出順に前記記憶手段から読み出して再生する再生工程と、
前記記録情報の前記記憶手段からの読み出しが実行されているとき、未検出の前記記録情報を前記記録媒体から検出する第２検出工程と、
前記記録情報が記録された前記記録媒体上の記録済領域の終端位置を当該記録媒体上において検出する終端検出工程と、
前記終端位置を示す前記記録媒体上のアドレスを示すアドレス情報を検出するアドレス検出工程と、
前記アドレス情報に基づいて前記記録媒体に記録されている前記記録情報全体の総再生時間を算出する算出工程と、
前記記録済領域に記録されている前記記録情報の数を検出する情報数検出工程と、
前記第１検出工程及び前記第２検出工程における全ての前記記録情報の検出が完了していないときに、前記第１検出工程及び前記第２検出工程において夫々検出済みの前記記録情報については当該記録情報の内容に基づいて各前記記録情報の再生時間情報を取得すると共に、
前記第１検出手段及び前記第２検出手段が未検出の前記記録情報については、前記総再生時間から前記検出済みの前記記録情報の再生時間の合計を除いた時間情報と、当該未検出の前記記録情報の数と、に基づいて当該未検出の前記記録情報の平均再生時間情報を推定することで、前記記録情報を前記記録媒体から検出して再生する際に用いられる再生制御情報を生成する生成工程と、
前記生成された再生制御情報を前記記録媒体に記録する記録工程と、
を含むことを特徴とする情報再生方法。
【請求項６】  記録媒体に記録された記録情報を再生する情報再生装置に含まれるコンピュータを、
記録媒体に記録されている記録情報を、最初に記録された当該記録情報から記録順に順次検出する第１検出手段、
当該検出された記録情報を検出順に一時的に記憶する記憶手段、
前記記憶されている記録情報を検出順に前記記憶手段から読み出して再生する再生手段、
前記記録情報の前記記憶手段からの読み出しが実行されているとき、未検出の前記記録情報を前記記録媒体から検出する第２検出手段、
前記記録情報が記録された前記記録媒体上の記録済領域の終端位置を当該記録媒体上において検出する終端検出手段、
前記終端位置を示す前記記録媒体上のアドレスを示すアドレス情報を検出するアドレス検出手段、
前記アドレス情報に基づいて前記記録媒体に記録されている前記記録情報全体の総再生時間を算出する算出手段、
前記記録済領域に記録されている前記記録情報の数を検出する情報数検出手段、
前記第１検出手段及び前記第２検出手段による全ての前記記録情報の検出が完了していないときに、前記第１検出手段及び前記第２検出手段により夫々検出済みの前記記録情報については当該記録情報の内容に基づいて各前記記録情報の再生時間情報を取得すると共に、
前記第１検出手段及び前記第２検出手段が未検出の前記記録情報については、前記総再生時間から前記検出済みの前記記録情報の再生時間の合計を除いた時間情報と、当該未検出の前記記録情報の数と、に基づいて当該未検出の前記記録情報の平均再生時間情報を推定することで、前記記録情報を前記記録媒体から検出して再生する際に用いられる再生制御情報を生成する生成手段、及び、
前記生成された再生制御情報を前記記録媒体に記録する記録手段、
として機能させることを特徴とする情報再生用プログラム。
【請求項７】  請求項６に記載の情報再生用プログラムが前記コンピュータにより読取可能に記録されていることを特徴とする情報記録媒体。
【手続補正２】
【補正対象書類名】明細書
【補正対象項目名】０００４
【補正方法】変更
【補正の内容】
【０００４】
曲情報の再生開始までに非常に長い時間が必要となるという問題点があった。
［００１３］  また、上述した第二の従来技術によると、例えば、上記全体再生時間が６０分であり、その間に十個の単位情報が記録されていたとしたとき、各曲情報毎の再生時間が全て６分前後である場合には、上記第二の従来技術により生成された再生時間と実際の各曲情報の再生時間とが略一致しているので検索等も迅速に行うことが可能となるが、これに対して、例えば第１の曲情報の再生時間が３３分であり、残りの九つの曲情報の再生時間が例えば全て３分前後であったとすると、上記第二の従来技術により生成された再生時間と実際の各曲情報の再生時間とが著しく異なっていることとなるので、結果として正確な曲検索を行う場合には非常に長い時間を要してしまうこととなるという問題点があるのである。
［００１４］  そこで、本願は上記の各問題点に鑑みて為されたもので、その目的の一例は、記録済みの曲情報に対応したＴＯＣ情報が存在しないパーシャルディスクである場合でも、最初の曲情報の再生開始までの時間を短縮しつつ、爾後の検索等に用いるＴＯＣ情報を早期に作成することが可能な情報再生装置、情報再生方法及び当該情報再生用の情報再生用プログラム並びに当該情報再生用プログラムが記録された情報記録媒体を提供することにある。
【課題を解決するための手段】
［００１５］  上記の課題を解決するために、請求項１に記載の発明は、パーシャルディスク等の記録媒体に記録されている記録情報を、最初に記録された当該記録情報から記録順に順次検出するピックアップ等の第１検出手段と、当該検出された記録情報を検出順に一時的に記憶するバッファメモリ等の記憶手段と、前記記憶されている記録情報を検出順に前記記憶手段から読み出して再生する音声デコーダ等の再生手段と、前記記録情報の前記記憶手段からの読み出しが実行されているとき、未検出の前記記録情報を前記記録媒体から検出するピックアップ等の第２検出手段と、前記記録情報が記録された前記記録媒体上の記録済領域の終端位置を当該記録媒体上において検出するピックアップ等の終端検出手段と、前記終端位置を示す前記記録媒体上のアドレスを示すアドレス情報を検出するピックアップ等のアドレス検出手段と、前記アドレス情報に基づいて前記記録媒体に記録されている前記記録情報全体の総再生時間を算出するＣＰＵ等の算出手段と、前記記録済領域に記録されている前記記録情報の数を検出するピックアップ等の情報数検出手段と、前記第１検出手段及び前記第２検出手段による全ての前記記録情報の検出が完了していないときに、当該第１検出手段及び当該第２検出手段により夫々検出済みの前記記録情報については当該記録情報の内容に基づいて各前記記録情報の再生時間情報を取得すると共に、前記第１検出手段及び前記第２検出手段が未検出の前記記録情報については、前記総再生時間から前記検出済みの前記記録情報の再生時間の合計を除いた時間情報と、当該未検出の前記記録情報の数と、に基づいて当該未検出の前記記録情報の平均再生時間情報を推定することで、前記記録情報を前記記録媒体から検出して再生する際に用いられる再生制御情報を生成するＣＰＵ等の生成手段と、前記生成された再生制御情報を前記記録媒体に記録するピックアップ等の記録手段と、を備える。
【手続補正３】
【補正対象書類名】明細書
【補正対象項目名】０００５
【補正方法】変更
【補正の内容】
【０００５】
［００１６］  上記の課題を解決するために、請求項５に記載の発明は、パーシャルディスク等の記録媒体に記録されている記録情報を、最初に記録された当該記録情報から記録順に順次検出する第１検出工程と、当該検出された記録情報を検出順にバッファメモリ等等の記憶手段に一時的に記憶する記憶工程と、前記記憶されている記録情報を検出順に前記記憶手段から読み出して再生する再生工程と、前記記録情報の前記記憶手段からの読み出しが実行されているとき、未検出の前記記録情報を前記記録媒体から検出する第２検出工程と、前記記録情報が記録された前記記録媒体上の記録済領域の終端位置を当該記録媒体上において検出する終端検出工程と、前記終端位置を示す前記記録媒体上のアドレスを示すアドレス情報を検出するアドレス検出工程と、前記アドレス情報に基づいて前記記録媒体に記録されている前記記録情報全体の総再生時間を算出する算出工程と、前記記録済領域に記録されている前記記録情報の数を検出する情報数検出工程と、前記第１検出工程及び前記第２検出工程における全ての前記記録情報の検出が完了していないときに、当該第１検出工程及び当該第２検出工程において夫々検出済みの前記記録情報については当該記録情報の内容に基づいて各前記記録情報の再生時間情報を取得すると共に、前記第１検出手段及び前記第２検出手段が未検出の前記記録情報については、前記総再生時間から前記検出済みの前記記録情報の再生時間の合計を除いた時間情報と、当該未検出の前記記録情報の数と、に基づいて当該未検出の前記記録情報の平均再生時間情報を推定することで、前記記録情報を前記記録媒体から検出して再生する際に用いられる再生制御情報を生成する生成工程と、前記生成された再生制御情報を前記記録媒体に記録する記録工程と、を含む。
［００１７］  上記の課題を解決するために、請求項６に記載の発明は、パーシャルディスク等等の記録媒体に記録された記録情報を再生する情報再生装置に含まれるコンピュータを、記録媒体に記録されている記録情報を、最初に記録された当該記録情報から記録順に順次検出する第１検出手段、当該検出された記録情報を検出順に一時的に記憶する記憶手段、前記記憶されている記録情報を検出順に前記記憶手段から読み出して再生する再生手段、前記記録情報の前記記憶手段からの読み出しが実行されているとき、未検出の前記記録情報を前記記録媒体から検出する第２検出手段、前記記録情報が記録された前記記録媒体上の記録済領域の終端位置を当該記録媒体上において検出する終端検出手段、前記終端位置を示す前記記録媒体上のアドレスを示すアドレス情報を検出するアドレス検出手段、前記アドレス情報に基づいて前記記録媒体に記録されている前記記録情報全体の総再生時間を算出する算出手段、前記記録済領域に記録されている前記記録情報の数を検出する情報数検出手段、前記第１検出手段及び前記第２検出手段による全ての前記記録情報の検出が完了していないときに、当該第１検出手段及び当該第２検出手段により夫々検出済みの前記記録情報については当該記録情報の内容に基づいて各前記記録情報の再生時間情報を取得すると共に、前記第１検出手段及び前記第２検出手段が未検出の前記記録情報については、前記総再生時間から前記検出済みの前記記録情報の再生時間の合計を除いた時間情報と、当該未検出の前記記録情報の数と、に基づいて当該未検出の前記記録情報の平均再生時間情報を推定することで、前記記録情報を前記記録媒体から検出して再生する際に用いられる再生制御情報を生成する生成手段、及び、前記生成された再生制御情報を前記記録媒体に記録する記録手段、として機能させる。
［００１８］  上記の課題を解決するために、請求項７に記載の発明は、請求項６に記載の情報再生用プログラムが前記コンピュータにより読取可能に記録されている。
【図面の簡単な説明】
［００１９］［図１］  実施形態の情報再生装置の概要構成を示すブロック図である。
［図２］  実施形態の再生処理を示すフローチャート（Ｉ）である。
［図３］  実施形態の再生処理を示すフローチャート（ＩＩ）である。
【国際調査報告】
2006064703.tif 000005
2006064703.tif 000006
2006064703.tif 000007
2006064703.tif 000008